(57)【要約】【課題】左勝手門扉と右勝手門扉とに共通に取り付けでき、アーム及びハンドルの門扉からの突出を防止して、門扉閉鎖時にアーム又はハンドルが門柱又は他の門扉に激突しないようにした内掛け錠を提供する。【解決手段】ハンドルとアームとを連結する連結軸の回転角度をその連結軸の軸心を中心としてその軸心を通る水平線の上側の１８０度の範囲に規制する回転角度規制手段を備えた門扉用内掛け錠において、偏心位置に角穴を有し、その角穴に前記連結軸を挿通して装着されて、前記ハンドル及び前記アームに対して直角方向に突出し、かつ、前記連結軸に対する装着時の向きの選択により、その突出方向を１８０度切り換えが可能な係止片と、前記ハンドル及び前記アームが施錠位置から解錠位置まで左又は右方向に９０度回転されたときに前記係止片に当たってこれを止める回転角度規制部材とを備えた。【選択図】      図６
2006257735.tif 000002
【特許請求の範囲】
【請求項１】
ハンドルと、そのハンドルに角棒からかる連結軸により連結されて前記ハンドルとともに回転されるアームと、前記アームの回転角度を前記連結軸の軸心を中心としてその軸心を通る水平線の上側の１８０度の範囲に規制する回転角度規制手段とを備えた門扉用内掛け錠において、
偏心位置に角穴を有し、その角穴に前記連結軸を挿通して装着されて、前記ハンドル及び前記アームに対して直角方向に突出し、かつ、前記連結軸に対する装着時の向きの選択により、その突出方向を１８０度切り換えが可能な係止片と、前記ハンドル及び前記アームが施錠位置から解錠位置まで左又は右方向に９０度回転されたときに前記係止片に当たってこれを止める回転角度規制部材とを備えたことを特徴とする門扉用内掛け錠。
【請求項２】
回転角度規制部材は、本締り錠又はサムターンの操作により施錠位置と解錠位置とに移動されるラッチを摺動自在に保持するカバーの一部で構成されていることを特徴とする請求項１に記載の門扉用内掛け錠。
【発明の詳細な説明】
【技術分野】
【０００１】
本発明は、門扉の内掛け錠に関する。
【背景技術】
【０００２】
門扉の内掛け錠（以下、単に内掛け錠という。）は、門扉の敷地外側に突設されたハンドルと門扉の敷地内側に突設されたアームとを連結軸で一体的に連結した構成を有し、ハンドルを介してアームを、又は直接アームを回転させて、門柱又は隣接する門扉に設けられたアーム受け具に係合・離脱させて、施錠・解錠するものである。
【０００３】
旧来の内掛け錠のアーム及びハンドルの回転角度は、その内掛け錠の中に備えられた回転角度規制手段により、アームがアーム受け具に水平状態で係合する施錠位置からアームがアーム受け具から離脱されて直立する解錠位置までの９０度に規制されていた（この回転角度規制手段を第１世代回転角度規制手段という。）。
【０００４】
このようにアームの回転角度を９０度に規制する回転角度規制手段を用いる場合は、左勝手の門扉と右勝手の門扉とで、施錠・解錠時のアームの回転方向が逆になるので、内掛け錠を左勝手門扉用と右勝手門扉用の２種類を用意・管理し、取り付けようとする門扉の勝手に対応する内掛け錠を選択しなければならないという煩雑さがあったため、近年使用されている内掛け錠は、アームの回転角度が、連結軸を中心としてその連結軸を通る垂直線の左右両側にそれぞれ９０度に拡大された回転角度規制手段（この回転角度規制手段を第２世代回転角度規制手段という。）を備えることにより、左勝手門扉と右勝手門扉とに共通に取り付けることができるようにしてある。
【特許文献１】特になし
【発明の開示】
【発明が解決しようとする課題】
【０００５】
ところが、第２世代回転角度規制手段を備えた門扉では、アームの回転角度が、連結軸を中心としてその連結軸を通る垂直線の左右両方にそれぞれ９０度、すなわち、連結軸を中心として左方向水平状態から右方向水平状態までの１８０度である。そのため、内掛け錠が解錠状態にある門扉が閉められるときに、ハンドルが門扉から見付け方向に突出していることがあり得る。このようなハンドルが突出している状態で門扉が閉められると、そのハンドルが門柱又は他の門扉に激突してハンドルが損傷したり、門扉に激突の痕跡が生じたりして、門扉の美観が損なわれるという新たな問題が生じている。
【０００６】
本発明は、上記の点に鑑みてなされたものであり、解決しようとする課題は、左勝手門扉と右勝手門扉とに共通に取り付けることができ、しかも、アーム及びハンドルが門扉から突出することを防止して、門扉閉鎖時にアーム又はハンドルが門柱又は他の門扉に激突することがないようにした内掛け錠を提供することにある。
【課題を解決するための手段】
【０００７】
上記課題を解決するため、本発明は、ハンドルと、そのハンドルに角棒からなる連結軸により連結されて前記ハンドルとともに回転されるアームと、前記アームの回転角度を  前記連結軸の軸心を中心としてその軸心を通る水平線の上側の１８０度の範囲に規制する第２回転角度規制手段とを備えた門扉用内掛け錠において、偏心位置に角穴を有し、その角穴に前記連結軸を挿通して装着されて、前記ハンドル及び前記アームに対して直角方向に突出し、かつ、前記連結軸に対する装着時の向きの選択により、その突出方向を１８０度切り換えが可能な係止片と、前記ハンドル及び前記アームが施錠位置から解錠位置まで左又は右方向に９０度回転されたときに前記係止片に当たってこれを止める回転角度規制部材とを設けたことを特徴としている。
【０００８】
上記構成により、係止片は、角穴に連結軸を挿通してハンドル及びアームに対して直角方向に突出するように連結軸に装着されるが、連結軸に対する装着時の向きの選択により、その突出方向を１８０度切り換えが可能である。従って、係止片の向きを左勝手門扉と右勝手門扉とに応じて変えて装着することができる。そして、右勝手門扉の場合は、施錠位置にあるハンドルを門扉の正面から見て時計方向に解錠位置まで９０度回すと、係止片が回転角度規制部材に当たって止められる。左勝手門扉の場合は、施錠位置にあるハンドルを門扉の正面から見て反時計方向に解錠位置まで９０度回すと、係止片が回転角度規制部材に当たって止められる。従って、いずれの場合も、解錠状態においてハンドルが門扉の戸先から突出しないので、門扉が閉められる時にハンドルが門柱又は他の門扉に衝突することがない。
【０００９】
前記回転角度規制部材は、本締り錠又はサムターンの操作により施錠位置と解錠位置とに移動されるラッチを摺動自在に保持するカバーの一部で構成することが望ましい。
【００１０】
内掛け錠には、通常、敷地内側から手で操作されるサムターンと、敷地外側から鍵で操作される本締り錠と、サムターン又は本締り錠により施錠位置と解錠位置とに移動されるラッチと、そのラッチを摺動自在に保持するカバーと、ハンドルとアームを連結する連結軸を中心の角穴に貫通して固着されてハンドルとともに回転され、前記ラッチが嵌合される切欠を有する円板状のロック板とからなる錠装置が設けられている。前記係止片も連結軸に装着され、左又は右方向に９０度回転されたときにこれを停止する回転角度規制部材を必要とする。従って、前記カバーの一部を回転角度規制部材に兼用することができる。これにより、別部材を設ける必要が無いので、本発明を実施することに伴って、内掛け錠の構造が複雑化することがない。
【発明の効果】
【００１１】
本発明によれば、一つの内掛け錠を左勝手門扉と右勝手門扉とに共通に用いることができ、いずれの場合も、解錠状態の門扉の戸先からハンドルが突出しないので、門扉を閉める時にハンドルが門柱又は他の門扉に衝突するという問題が解消される。
【００１２】
また、回転角度規制部材に、本締り錠又はサムターンにより施錠位置と解錠位置とに移動されるラッチを摺動自在に保持するカバーの一部を兼用する場合は、別部材を設ける必要が無いので、内掛け錠の構造が複雑化することがない。
【発明を実施するための最良の形態】
【００１３】
次に、本発明の実施の形態について図面に基づいて説明する。
図１は本発明に係る内掛け錠が取り付けられている門扉の正面図、図２は図１のＸ−Ｘ線に沿った拡大断面図、図３はアーム側内掛け錠の解錠状態にある側面図、図４は図３のＹ−Ｙ線断面図、図５は係止片の一例の斜視図、図６は右勝手門扉の場合の係止片の装着方向及び作用を示す説明図、図７は左勝手門扉の場合の係止片の装着方向及び作用を示す説明図である。
【００１４】
図１の門柱１、１Ｅに取り付けられた門扉２，２Ｅのうち、左側の門扉２には、図２に示すように、敷地内側面に既知のアーム受け３が取り付けられ、敷地外側面にそのアーム受け３に連結軸４により連結・固定されたハンドル５が取り付けられている。これに対して、右側の門扉２Ｅには、本発明に係る内掛け錠６が取り付けられている。すなわち、図１及び図２の内掛け錠６は、右勝手門扉用内掛け錠である。
【００１５】
内掛け錠６は、門扉２Ｅの敷地内側面と敷地外側面に当接される外形が同一の台座７ａ，７ｂを有する。台座７ａ，７ｂは、内面に窪んだ皿状に形成されており、台座７ａに設けてある孔（図示せず）から門扉２Ｅを貫通したボルト８を、台座７ｂの内面に突設してある突起９の中心に形成されているねじ孔にねじ込んで、両台座で門扉本体を挟持する状態で固定されている。そして、台座７ａにはそのアーム１０の基部が貫通され、台座７ｂにはハンドル１１の基部が貫通され、その両者の基部に設けてある角穴に断面四角形の角棒からなる連結軸１２の両端部が嵌合された状態で、各基部にねじ込んだねじ（図示せず）で連結軸１２を締め付けて一体的に連結されている。
【００１６】
内掛け錠６の一方の台座、図示の例ではアーム側の台座７ａの内側面には、ガイド１３が設けられ、そのガイドにラッチ１４が上下方向に摺動自在に案内されており、そのラッチよりも台座の背面側（門扉により近い側）に、その台座の背面を遮蔽するように設けられたカバー１５が、リベット又はねじなど１６により固着されて、ラッチ１４は台座７ａの内面とガイド１３とカバー１５の間で摺動自在に保持されている。ラッチ１４は下端部に先細りの嵌合部１４ａを有している。
【００１７】
連結軸１２の上方において台座７ａの外面から門扉２Ｅを貫通し、台座７ｂの外面まで連続する断面矩形の作動棒１７が設けられ、その作動棒の一端は台座７ａから突出するサムターン１８に結合され、作動棒１７の他端は、台座７ｂの外面に設けられた、門扉用の周知の本締まり錠１９の回転体（図示せず）に結合されている。その回転体は本締まり錠１９の正面に開口している鍵穴に所定の鍵を差し込んで回転した場合に限り回転されるように構成されている。従って、サムターン１８又は本締まり錠１９に差し込まれた所定の鍵により、作動棒１７が回転される。作動棒１７、サムターン１８及び本締り錠１９により、この門扉の鍵装置が構成されている。
【００１８】
作動棒１７は、カバー１５を回転可能に貫通しており、カバー１５と台座７ａの内面との間に設けられた連動手段（図示せず）に連繋されている。この連動手段は、作動棒１７の回転運動をラッチ１４の往復運動に変換するものであり、このような運動方向変換手段は種々のものが既知であるので、詳細な説明は割愛する。こうして、サムターン１８又は本締まり錠１９を操作すると、作動棒１を介してラッチ１４が昇降可能とされている。
【００１９】
カバー１５の下部には、そのカバーを連結軸１２の軸心を中心とする円弧に沿って切除して切欠部１５ａが形成してある。そして、連結軸１２には、ほぼ円板状のロック板２０が、そのロック板の中心に形成した角穴に連結軸１２を貫通してロック板の円周の一部を切欠部１５ａに嵌合した状態で固定されている。ロック板２０は、周辺にその円板の中心に関して互いに反対方向に開口してラッチ１４の嵌合部１４ａが緊密に嵌合できる二つの凹部２０ａ、２０ｂを有している。ロック板２０の凹部２０ａ、２０ｂの開口方向は、アーム１０及びハンドル１１の長手方向に対して直角方向とされている。従って、内掛け錠６が施錠状態にあるとき、すなわち、アーム１０及びハンドル１１が水平状態にあるときは、ロック板２０の凹部２０ａ、２０ｂのいずれか一方は上方に開口している。
【００２０】
従って、このときは、サムターン１８又は本締まり錠１９を一定方向に操作してラッチ１４を下降させて嵌合部１４ａをロック板の凹部に嵌合することにより内掛け錠６を施錠することができ、また、サムターン１８又は本締まり錠１９を反対方向に操作してラッチ１４を上昇させて嵌合部１４ａをロック板の凹部から脱出させることにより解錠することができる。
【００２１】
台座７ａの内面には、連結軸１２と中心を共通にする円形の収容部２１が設けられ、その中に、連結軸１２の回転角度をハンドル１１が一つの水平状態からそのハンドルの回転中心を通る水平線の下側を回転してもう一つの水平状態になるまでの１８０度に規制する回転角度規制手段（図示せず）が設けられている。このような回転角度を１８０に規制する回転角度規制手段は、例えば、回転軸に設けた突起と、１８０度の回転範囲の両端に設けられ、突起に当たって停止させる部材とで構成することができる。
【００２２】
以上までの構成の内掛け錠において、本発明では、ロック板２０に近接して連結軸１２に、図５に示すような係止片２２を、アーム１０及びハンドル１１に対する突出方向を切り換え可能に備えたことを特徴としている。図４には、描画線が輻輳するのを避けるため、係止片が示されていない。
【００２３】
係止片２２は、ほぼ短冊状の板材で形成され、長手方向中央よりも一端側に寄った位置に連結軸２１の断面形状と等しい形状、すなわち、四角形の角穴２２ａを有し、その角穴から遠い側の他端側に、その板材を屈曲して形成された当接部２２ｂを有している。
【００２４】
上記形状により、係止片２２は、その角穴２２ａに連結軸１２を貫通し、ロック板２０に近接した状態に装着することができる。この装着時の係止片２２のアーム１０及びハンドル１１に対する向きは、内掛け錠６が取り付けられる門扉が右勝手か左勝手かにより、変えられる。右勝手の門扉（図１の２Ｅ）の場合は、図６に示すように、内掛け錠の施錠状態において、すなわち、連結軸１２の右側に水平状態にあるハンドル１１に対して直角下方に向けて装着される。この装着状態で、解錠するためにハンドル１１を図６において下方（時計方向）に回すと、回転角度が９０度になったときに係止片２２がカバー１５の左側の下端縁１５ｂに当接して停止される。すなわち、ハンドル１１は門扉２Ｅの戸先面から突出しない位置で止められる。従って、万一、門扉２Ｅが解錠状態のまま閉められても、ハンドル１１が門扉２に激突することはない。
【００２５】
左勝手の門扉（図１の２）の場合は、図７に示すように、内掛け錠の施錠状態において、すなわち、連結軸１２の左側に水平状態にあるハンドル１１に対して直角下方に向けて装着される。この装着状態で、解錠するためにハンドル１１を図７６において下方（反時計方向）に回すと、回転角度が９０度になったときに係止片２２がカバー１５の右側の下端縁１５ｂに当接して停止される。すなわち、ハンドル１１はこの場合も門扉１の戸先面から突出しない位置で止められる。従って、万一、門扉２が解錠状態のまま閉められても、ハンドル１１が門扉２Ｅに激突することはない。
【００２６】
上記係止片２２の構成において、当接部２２ｂを係止片の板材を屈曲して形成しているのは、カバー１５とロック板２０が共通の平面上に存在し、係止片２２がロック板２０に近接して設けてあるので、その係止片２２が連結軸１２により所定方向に回転されたときに、その当接部２２ｂがカバー１５の下端部の切欠部１５ａの両側に存在する下端縁１５ｂに確実に当接して停止されるようにするためである。従って、係止片が所定方向に回転された場合に、そのカバーの一部で停止される位置関係にあれば、当接部の屈曲は不要である。
【００２７】
また、上記実施例においては、ハンドル１１を解錠方向に回転した場合に係止片２２の回転角度を９０度に規制する部材として、ロック板を摺動自在に保持するカバー１５を利用したので、新たな部材を設ける必要がないので、コスト上昇を避けることができる利点がある。しかし、本発明はこの例に限定されるものではなく、本発明の技術的範囲には、内掛け錠の異なる種類によってはカバー１５以外の既存構成要素を利用することも、又は、新規部材を付加することも含まれる。従って、係止片を、それらの回転角度規制部材に適合する形状を有するように変化させたものをも含む。
【図面の簡単な説明】
【００２８】
【図１】本発明に係る内掛け錠が取り付けられている門扉の正面図。
【図２】図１のＸ−Ｘ線に沿った拡大断面図。
【図３】アーム側内掛け錠の解錠状態にある側面図。
【図４】図３のＹ−Ｙ線断面図。
【図５】係止片の斜視図。
【図６】右勝手門扉の場合の係止片の装着方向及び作用を示す説明図。
【図７】左勝手門扉の場合の係止片の装着方向及び作用を示す説明図。
【符号の説明】
【００２９】
１，１Ｅ    門柱
２，２Ｅ    門扉
６          内掛け錠
７ａ、７ｂ  台座
１０        アーム
１１        ハンドル
１２        連結軸 
１４        ラッチ
１５        カバー
１５ｂ      回転角度規制部材（カバーの一部：下端縁）
２０        ロック板
２１        回転角度規制手段の収容部
２２        係止片
【図１】
2006257735.tif 000003
【図２】
2006257735.tif 000004
【図３】
2006257735.tif 000005
【図４】
2006257735.tif 000006
【図５】
2006257735.tif 000007
【図６】
2006257735.tif 000008
【図７】
2006257735.tif 000009